(57)【要約】【課題】  表裏の判別が容易であるとともに、誤って敷き間違えた場合においても容易に発見可能であり、確実かつ綺麗に接合布設できるＡＬＣパネルを提供する。【解決手段】  長辺小口の形状が、パネル表面側は略直角の断面形状であり、パネル裏面側は面取りの断面形状であり、中間部はフラット、凸型、凹型のいずれかの断面形状であるＡＬＣパネルを使用することとした。【選択図】  図１
2009114678.tif 000002
【特許請求の範囲】
【請求項１】
軽量気泡コンクリートパネルの長辺小口の加工形状であって、軽量気泡コンクリートパネルの表面側の長辺小口の断面形状はどちらも略直角形状であり、軽量気泡コンクリートパネルの裏面側の長辺小口の断面形状は少なくとも一方が面取り形状であることを特徴とする屋根・床用の軽量気泡コンクリートパネル。
【請求項２】
軽量気泡コンクリートパネルの長辺小口の加工形状であって、軽量気泡コンクリートパネルの一方の長辺小口の表面側の断面形状は略直角形状であり、軽量気泡コンクリートパネルの裏面側の断面形状は面取り形状であり、両者の中間部が凸型の断面形状であって、他方の長辺小口の表面側の断面形状は略直角形状であり、軽量気泡コンクリートパネルの裏面側の断面形状は面取り形状であり、両者の中間部が一方の長辺小口の断面形状に対応して嵌合する凹型の断面形状であることを特徴とする屋根・床用の軽量気泡コンクリートパネル。
【請求項３】
軽量気泡コンクリートパネルの長辺小口の加工形状であって、軽量気泡コンクリートパネルの一方の長辺小口の表面側の断面形状は略直角形状であり、軽量気泡コンクリートパネルの裏面側の断面形状は面取り形状であり、両者の中間部がフラットな断面形状であって、他方の長辺小口の表面側の断面形状は略直角形状であり、軽量気泡コンクリートパネルの裏面側の断面形状は面取り形状であり、両者の中間部が凹型の断面形状であることを特徴とする屋根・床用の軽量気泡コンクリートパネル。
【請求項４】
軽量気泡コンクリートパネルの長辺小口の加工形状であって、軽量気泡コンクリートパネルの一方の長辺小口の表面側の断面形状は略直角形状であり、軽量気泡コンクリートパネルの裏面側の断面形状は面取り形状であり、両者の中間部がフラットな断面形状であって、他方の長辺小口の表面側の断面形状は略直角形状であり、軽量気泡コンクリートパネルの裏面側の断面形状は面取り形状であり、両者の中間部が凸型の断面形状であることを特徴とする屋根・床用の軽量気泡コンクリートパネル。
【発明の詳細な説明】
【技術分野】
【０００１】
本発明は、軽量気泡コンクリート（ＡＬＣ）パネルを屋根や床材などの水平部材に使用する場合のパネルの長辺小口の形状に関するものである。
【背景技術】
【０００２】
軽量気泡コンクリート（以下、ＡＬＣと言う。）パネル等複数の建築用パネルを水平方向に連結敷設し、建築躯体に固定して建築物の床や屋根を構成する方法として、一般には長辺側にＬ状溝を形成したパネルを利用し、このＡＬＣパネルを長辺の端面が互いに当接するように配置し、梁の上面に溶接された目地金具の貫通孔に目地鉄筋を貫通し、ついで溝部をモルタルで充填することによりＡＬＣパネルを梁に固定する方法が採用されている。  しかしながら、溝部にモルタルを充填する作業が煩雑である上に、モルタル部分の施工品質が強度に大きく影響するため、モルタルを使用しない乾式仕様による取り付け方法についても検討され普及しつつある。
【０００３】
乾式仕様による取り付け方法としては、例えば図１０に示すようなＡＬＣパネル５０の表面５０Ｃの短辺方向のほぼ中央部に、Ｕ字型で深さ２０ｍｍから５０ｍｍ程度の短辺の端面に連通する切り込み部５０ａを設け、裏面の短辺方向のほぼ中央部には、短辺の端面に連通する溝部５０ｂを設けたＡＬＣパネルを使用する方法が採用されている。
一方、図１１に示すように躯体８に取付金物１８を固定し、取付金物１８の接合部分を躯体８のフランジ上に突き出させてある。ＡＬＣパネル５０，５０は互いにその短辺の端面を向かい合わせ、且つ取付金物１８の垂直部を挟持するように躯体フランジ面８ａに載置し、大型座金１５を取付金物１８の上端より挿入し、取付金物１８の上端近傍に設けた雄ねじにナット１６を螺合させ、締め込むことにより摩擦力によってＡＬＣパネル５０を躯体８に固定する技術が開示されている（例えば、特許文献１参照。）。
【０００４】
また、図１２に示すようにコンクリート系パネル６０の短辺小口の上面に、この小口を跨ぐように円形座掘り部６１を形成したパネルを使用して、この円形座掘り部６１とほぼ同形状及び同厚みの円板状金物６２と、この円板状金物６２の中心部を貫通したねじ孔と、下部を建物の躯体８に固定し上部にボルト部を有するとともにコンクリート系パネルの厚みとほぼ同一の高さとなるように、前記躯体８から上方に起立した棒状金具６３とから構成され、コンクリート系パネルの短辺小口部に形成した円形座掘り部６１に挿入した円板状金物６２のねじ孔と棒状金具６３のボルト部とを螺合するとともに、円板状金物６２と建物躯体８との間にコンクリート系パネルを挟んで締め付け固定するパネルの取付構造が開示されている（例えば、特許文献２参照。）。図中７０は専用の締付工具である。
【特許文献１】特開平０６−３０６９８４号公報
【特許文献２】特開２００２−３３９４９２号公報
【０００５】
上記乾式により取付ける方法は、ＡＬＣパネルの短辺小口に取付金物を納めるための切削加工が必要である。このような切削加工は、予めパネル製作工場で加工する場合と、施工時に加工する場合とが考えられる。
パネル製作工場で加工する場合には、パネル割付けに沿って位置精度良く加工を施すことが必要となり、かつ現場においてパネル割付けに修正がある場合には、別途現場での加工が必要となる。よって、住宅などの小規模物件でかつパネルの割付けがパターン化されている場合においては採用されるが、個別の建築物件においては、採用が難しい。
一方、施工時に加工する場合には、割付けに併せて現場で加工できるため、割付けの修正等にも対応可能である。
【発明の開示】
【発明が解決しようとする課題】
【０００６】
施工現場にて乾式取付用の加工を施す場合においては、施工現場に納入するパネルの仕様については、現場でパネルを敷設する際に表裏を間違えないように、また、施工後に表裏をチェックできるようにすることが重要である。
通常コンクリート系のパネルには、外部からの荷重に耐え得るように、内部に鉄筋が配置されている。床用の部材の場合には部屋の用途に応じた積載荷重や仕上げ荷重が掛かり、屋根用の部材の場合には仕上荷重およびパネルを引き剥がす方向に作用する吹き上げ荷重が掛かる。これらの荷重の作用する方向と大きさに応じてひび割れや過大なたわみが発生しないように、パネルの表側と裏側のダブルに所定の本数の鉄筋が配置される。
このため、表裏を誤ってパネルを敷設してしまった場合、荷重条件に対し所定の性能を発揮できず、過大なたわみやひび割れにより居住空間の快適性や安全性が損なわれることになる。
【０００７】
このような事態を防止するため、施工者が表裏を誤らないようにするとともにパネル敷設後もチェックが可能な仕様にすることが必要である。
通常は図９に示すように、ＡＬＣパネル４０の短辺小口面４０Ｂに印字した表裏を示す文字４０ａ（上、下等）や矢印のマーキングにより表裏を判別できるようになっている。
しかし、パネルを運搬する過程や現場でパネルを保管する場合には、多数のパネルを並べて載置しておくのでパネル側面の短辺小口に附したマークはしばしば見えなくなってしまうことがある。また、仕上がりの美観を損なう恐れがあるので、パネル表面には大きなマーキングをするのは好ましくない。さらに、パネルを敷きこんでしまった後は短辺小口が隠れてしまうため判別が出来ない。
また、前述の通り、取付金物を納めるための切削加工が工場で予め加工されている場合には、加工位置から表裏が判別可能であるが、位置精度が要求されることとパネル割付の変更に対応できないため、割付けがパターン化されている物件のみ可能であるが、一般の建築物への適用は困難である。
したがって本発明の主目的は、表裏の判別が容易であるとともに、誤って敷き間違えた場合においても容易に発見可能であり、確実かつ綺麗に接合布設できるＡＬＣパネルを提供することにある。
【課題を解決するための手段】
【０００８】
このため本発明に係る床・屋根用のＡＬＣパネルは、長辺小口の形状が、パネル表面側の断面形状は略直角形状であり、パネル裏面側の断面形状は面取り形状であり、中間部はフラット、凸型、凹型のいずれかの断面形状であるＡＬＣパネルとした。
すなわち、本発明に係るＡＬＣパネルの一つは、軽量気泡コンクリートパネルの長辺小口の加工形状であって、軽量気泡コンクリートパネルの表面側の長辺小口の断面形状はどちらも略直角形状であり、軽量気泡コンクリートパネルの裏面側の長辺小口の断面形状は少なくとも一方が面取り形状である屋根・床用の軽量気泡コンクリートパネルである。
また、本発明に係るＡＬＣパネルの他の一つは、軽量気泡コンクリートパネルの一方の長辺小口の表面側の断面形状は略直角形状であり、軽量気泡コンクリートパネルの裏面側の断面形状は面取り形状であり、両者の中間部が凸型の断面形状であって、他方の長辺小口の表面側の断面形状は略直角形状であり、軽量気泡コンクリートパネルの裏面側の断面形状は面取り形状であり、両者の中間部が一方の長辺小口の断面形状に対応して嵌合する凹型の断面形状である屋根・床用の軽量気泡コンクリートパネルである。
本発明に係るＡＬＣパネルの更に他の一つは、軽量気泡コンクリートパネルの一方の長辺小口の表面側の断面形状は略直角形状であり、軽量気泡コンクリートパネルの裏面側の断面形状は面取り形状であり、両者の中間部がフラットな断面形状であって、他方の長辺小口の表面側の断面形状は略直角形状であり、軽量気泡コンクリートパネルの裏面側の断面形状は面取り形状であり、両者の中間部が凹型の断面形状であることを特徴とする屋根・床用の軽量気泡コンクリートパネルである。
【０００９】
さらに、本発明に係るＡＬＣパネルの別の一つは、軽量気泡コンクリートパネルの一方の長辺小口の表面側の断面形状は略直角形状であり、軽量気泡コンクリートパネルの裏面側の断面形状は面取り形状であり、両者の中間部がフラットな断面形状であって、他方の長辺小口の表面側の断面形状は略直角形状であり、軽量気泡コンクリートパネルの裏面側の断面形状は面取り形状であり、両者の中間部が凸型の断面形状である屋根・床用の軽量気泡コンクリートパネルである。
これら３種類の長辺小口断面形状を有するＡＬＣパネルを組み合わせて建物の屋根や床を施工する。
【発明の効果】
【００１０】
本発明に係る床・屋根用ＡＬＣパネルを使用すれば、表裏の判別が容易であるとともに、誤って敷き間違えた場合においても容易に発見可能である。
表面側のコーナー部分を略直角の断面形状としているため、目地部に凹凸を生じることなく綺麗に敷き並べることが出来、屋根用の場合には防水仕上げに対する負荷を少なくすることが出来る。
裏面側のコーナー部分を面取りの断面形状としたことで、屋根用の場合であって天井材を貼らない場合には、面取り部分に粉落ち防止用のシールを打つことが出来る。
また、小場立てした後倒しながらパネルを梁上に敷設する際に、裏面を面取り面を起点とするとパネルをスムーズに倒しながら施工でき、角欠けなどの心配もない。
【発明を実施するための最良の形態】
【００１１】
以下、図面に基づいて説明する。
本発明のＡＬＣパネルの外観斜視図を、図１から図３に示す。図１に示すＡＬＣパネル１０は、建物の屋根や床に敷き並べる場合の中心部に使用するパネルである。図２及び図３に示すＡＬＣパネル２０，３０は、建物の屋根や床に敷き並べる場合の端部に使用するパネルである。図中記号Ａは一方の長辺小口であり、記号Ｂは一方の短辺小口、記号Ｃはパネルの表面、記号Ｄはパネルの裏側である。
図４に、図１に示すＡＬＣパネル１０の長辺小口に垂直な断面形状を示す。
ＡＬＣパネル１０の表面Ｃ側の長辺小口に沿ったコーナー部分１は、略直角の断面形状であり、ＡＬＣパネル１０の裏面Ｄ側の長辺小口に沿ったコーナー部分３は、面取り断面形状を呈している。
ＡＬＣパネル１０の長辺小口の一方Ａの略直角の断面形状のコーナー部分１と面取り断面形状のコーナー部分３の中間部には凸部２が形成してある。
一方、ＡＬＣパネル１０の他方の長辺小口の略直角の断面形状のコーナー部分１と面取り断面形状のコーナー部分３の中間部には凹部４が形成してある。
このようにＡＬＣパネル１０の長辺小口には、凸部２と凹部４が形成されており、ＡＬＣパネル１０を連続して布設する場合には、隣り合うパネルの凸部２と凹部４とが互いに嵌合する断面形状となっている。
【００１２】
次に、図５には図２に示したＡＬＣパネル２０の長辺小口に垂直な断面形状を示す。ＡＬＣパネル２０の表面Ｃ側の長辺小口に沿ったコーナー部分１は、ＡＬＣパネル１０と同様に、略直角の断面形状であり、ＡＬＣパネル１０の裏面Ｄ側の長辺小口に沿ったコーナー部分３は、面取り断面形状を呈している。
図２に示したＡＬＣパネル２０が図１に示したＡＬＣパネル１０と異なる点は、一方の長辺小口の略直角の断面形状１と面取り断面形状３の中間部にフラット面５が形成されている点である。もう一方の長辺小口Ａには、ＡＬＣパネル１０と同様に、略直角の断面形状コーナー部分１と面取り断面形状コーナー部分３の中間部には凸部２が形成してある。
このＡＬＣパネル２０は、建物の屋根や床に敷き並べる場合に凹部４が露出している面の端部に使用するパネルである。
【００１３】
次に、図６には図３に示したＡＬＣパネル３０の長辺小口に垂直な断面形状を示す。ＡＬＣパネル２０の表面Ｃ側の長辺小口に沿ったコーナー部分１は、ＡＬＣパネル１０と同様に、略直角の断面形状であり、ＡＬＣパネル３０の裏面Ｄ側の長辺小口に沿ったコーナー部分３は、面取り断面形状を呈している。
図３に示したＡＬＣパネル３０が図１に示したＡＬＣパネル１０と異なる点は、一方の長辺小口の略直角の断面形状のコーナー部１と面取り断面形状のコーナー部３の中間部にフラット面５が形成されている点である。もう一方の長辺小口には、ＡＬＣパネル１０と同様に、略直角の断面形状のコーナー部１と面取り断面形状のコーナー部３の中間部には凹部４が形成してある。
このＡＬＣパネル３０は、建物の屋根や床に敷き並べる場合に凸部２が露出している面の端部に使用するパネルである。
【００１４】
これらＡＬＣパネル１０，２０、３０において、パネルの長辺小口Ａのパネルの表面Ｃの側は略直角の断面形状とし、パネルの裏面Ｄの側は面取りの断面形状とする。
略直角の断面形状とは、そのなす角度を９０°とし、角から３ｍｍ程度まで面取加工したものを含むものとする。面取りの断面形状とは、面取りの辺寸法を１０ｍｍずつ程度とする。
施工者は、面取りの断面形状の部分がパネルの裏面Ｄ側であることを記憶しておけば、パネルの表裏を一見して判別できる。
また、パネルの長辺小口Ａの厚さ方向の中間部は、先に図４、図５及び図６で説明したような断面形状とし、１枚のパネルの左右の長辺小口の中間部を凸型２と凹型４を別々の断面形状とし、パネルを敷き並べる時に隣り合うパネルの凸型２と凹型４の加工部分が嵌合するようにする。
また、端部に割り付けられるパネルについては、長辺小口Ａの中間部は左右どちらかをフラット面５にすればよい。
【００１５】
図７に本発明のＡＬＣパネルを躯体８に敷き並べた様子を示す。
図中Ｅ列は本発明のＡＬＣパネルの表裏を正しく敷き並べた場合で、目地部に凹凸を生じることなく（隙間なく）綺麗に敷き並べることが出来、屋根用の場合には防水仕上げに対する負荷を少なくすることが出来る。
Ｆ列は誤って敷き並べた場合であるが、Ｆ列のように誤って敷き並べた場合はパネルの長辺目地に面取り分の溝１９が出来（隙間が生じ）、正しく敷き並べたＥ列の突き付けの目地９とは異なり、敷き並べた後でも表裏の正誤の判別が可能である。
尚、図７に記載された、目地部に凹凸を生じることなく（隙間なく）綺麗に敷き並べられたＥ列の拡大斜視図を図８（ａ）として、目地部に凹凸が生じるよう（隙間があるよう）誤って敷き並べられたＦ列の拡大斜視図を図８（ｂ）として、それぞれ示す。
【図面の簡単な説明】
【００１６】
【図１】本発明のＡＬＣパネルの一例を示す外観斜視図である。
【図２】本発明のＡＬＣパネルの他の例を示す外観斜視図である。
【図３】本発明のＡＬＣパネルのさらに別の例を示す外観斜視図である。
【図４】図１に示す本発明のＡＬＣパネルの断面図である。
【図５】図２に示す本発明のＡＬＣパネルの断面図である。
【図６】図３に示す本発明のＡＬＣパネルの断面図である。
【図７】本発明のＡＬＣパネルを躯体８に敷き並べた様子を示した斜視図である。
【図８】（ａ）は図７の本発明のＡＬＣパネルを躯体８に敷き並べた様子を示した斜視図のＥ列を拡大した図であり、（ｂ）はＦ列を拡大した図である。
【図９】従来のパネルの表裏判別マーキングを表示した短辺小口の例を示す斜視図である。
【図１０】従来のＡＬＣパネルの一例を示す透視斜視図である。
【図１１】図１０に示すＡＬＣパネルを使用して、ＡＬＣパネルを躯体に敷き並べる際の取付構造を説明する図である。
【図１２】従来のＡＬＣパネルを使用して、ＡＬＣパネルを躯体に敷き並べる際の他の取付構造を説明する図である。
【符号の説明】
【００１７】
１  略直角の断面形状のコーナー部分、
２  凸部、
３  面取り断面形状のコーナー部分、
４  凹部、
５  フラット面
８  躯体
９  目地
１９  溝
１０，２０，３０，４０，５０，６０  軽量気泡コンクリートパネル、
Ａ  長辺小口
Ｂ  短辺小口
Ｃ  表面
Ｄ  裏面
【図１】
2009114678.tif 000003
【図２】
2009114678.tif 000004
【図３】
2009114678.tif 000005
【図４】
2009114678.tif 000006
【図５】
2009114678.tif 000007
【図６】
2009114678.tif 000008
【図７】
2009114678.tif 000009
【図８】
2009114678.tif 000010
【図９】
2009114678.tif 000011
【図１０】
2009114678.tif 000012
【図１１】
2009114678.tif 000013
【図１２】
2009114678.tif 000014